(57)【要約】【課題】  目地幅を小さくして見栄えをよくした金属屋根の構造を提供する。【解決手段】  金属屋根の構造は、一様の凹字状横断面をもつ弾性ガスケット１、固定金物２、一対の金属屋根材３、一様の横断面をもつ嵌合部材４、ビスなどの固定子５などを備え、固定金物２に弾性ガスケット１を嵌め込み、この弾性ガスケット１の凹部１Ｄに一対の金属屋根材３の端縁３ｂを嵌め込むことで、一対の端縁３ｂ，３ｂの対向間隔を小さくして、一対の金属屋根材３の目地幅を小さくする。【選択図】        図１
2005232782.tif 000002
【特許請求の範囲】
【請求項１】
一様の凹字状横断面をもつ弾性ガスケットと、
この弾性ガスケットを嵌め込んで構造物に固定するための固定金物と、
前記構造物を表側から覆うと共に折り曲げられた端縁が前記弾性ガスケットの凹部に嵌まり込んで前記弾性ガスケットの一部を覆う一対の金属屋根材と、
これら金属屋根材それぞれの前記端縁間に嵌め込まれて該一対の金属屋根材を前記弾性ガスケットに固定する嵌合部材と、
を備えていることを特徴とする金属屋根の構造。
【請求項２】
請求項１において、                                                              前記弾性ガスケットの下面には、前記固定金物を前記構造物に固定する固定子の露出部を入り込ませる溝が設けられていることを特徴とする金属屋根の構造。
【請求項３】
請求項１もしくは２において、
前記固定金物が底部と該底部の両端から立ち上がる一対の側壁部とを設けた略凹字状横断面に形成され、これら一対の側壁部に係止部が設けられ、前記弾性ガスケットの両側外面に係止段部が設けられており、前記係止部と係止段部とを互いに係合させた状態で前記固定金物に弾性ガスケットが嵌め込まれていることを特徴とする金属屋根の構造。
【請求項４】
請求項１、２もしくは３において、
前記嵌合部材が一様の横断面の弾性材によって構成され、この嵌合部材が前記一対の金属屋根材それぞれの端縁間に全長にわたって嵌め込まれていることを特徴とする金属屋根の構造。
【請求項５】
請求項１、２、３、もしくは４において、
前記一対の金属屋根材の端縁に凹部が設けられ、前記嵌合部材に係止凸部が設けられており、前記係止凸部が前記凹部に係合して前記嵌合部材が位置決めされることで、前記一対の金属屋根材の表面と前記嵌合部材の上面が概ね同一平面上に設定された状態で前記嵌合部材が保持されていることを特徴とする金属屋根の構造。
【請求項６】
請求項１ないし５のいずれか１項において、
前記金属屋根材に代えて金属壁材を用いたことを特徴とする金属壁の構造。
【発明の詳細な説明】
【技術分野】
【０００１】
本発明は、建築物の屋根を構成する金属屋根の構造と建築物の外壁を構成する金属壁の構造に関するものである。
【背景技術】
【０００２】
従来より、板金製の吊り子と、板金製の押付部材と、板金製のキャップ部材（目地カバー）と、一対の板金製の金属屋根材とを備え、母家などの構造物（躯体側の固定部材）に吊り子を固定し、この吊り子の上面で間隔を隔てて一対の金属屋根材それぞれの端縁の下端平坦部を支持し、これら下端平坦部を押付部材で押し付けて該押付部材の下面と前記吊り子の上面とで前記下端平坦部を挟着するとともに、前記一対の端縁の間にキャップ部材を嵌め込んで、押付部材に設けた一対の突出部をキャップ部材に設けた一対の嵌合部に嵌合することで、隣接する一対の金属屋根材の目地をキャップ部材でカバーするようにした金属屋根の構造がある（たとえば、特許文献１）。
【０００３】
また、板金製の吊り子と、板金製の押付部材と、板金製のカバー部材（目地カバー）と、一対の板金製の金属屋根材とを備え、母家などの構造物に吊り子を固定し、この吊り子の上面で間隔を隔てて一対の金属屋根材それぞれの端縁の下端係止部を支持し、これら下端係止部を押付部材で押し付けて該押付部材の下面と前記吊り子の上面とで前記下端係止部を挟着するとともに、前記一対の端縁の間にカバー部材を嵌め込んで、押付部材に取付けたカバー保持部材でカバー部材を保持することで、隣接する一対の金属屋根材の目地をカバー部材でカバーするようにした金属屋根の構造が提案されている（たとえば、特許文献２）。
【０００４】
【特許文献１】特公平７−４２７８９号公報（図１）
【特許文献２】特開平９−２２８５６７号公報（図１）
【０００５】
ところが、特許文献１の金属屋根の構造では、目地カバーとしてコ字状横断面の板金製のキャップ部材が用いられ、特許文献２の金属屋根の構造では、目地カバーとしてコ字状横断面の板金製のカバー部材が用いられている。このようなコ字状横断面の板金製のキャップ部材や板金製のカバー部材は、一般に、平らな薄鋼板をブレーキプレスなどの曲げ加工機で曲げ加工することによって成形される。このため、コ字状横断面における互いに対向する二辺の間隔が小さいと、前記曲げ加工機に取付けられている可動金型がワークに干渉してコ字状横断面に成形することができない。したがって、必然的に、前記二辺の対向間隔を大きくした幅寸法の大きいコ字状横断面に成形せざるを得ない。このように、幅寸法の大きい板金製のキャップ部材や板金製のカバー部材が目地カバーとして用いられ、しかも、この目地カバーを一対の端縁の間に嵌め込むことで、隣接する一対の金属屋根材の目地をカバーするようにした従来の金属屋根の構造では、目地幅が大きくなって金属屋根の見栄えを悪くしている。
【発明の開示】
【発明が解決しようとする課題】
【０００６】
したがって、本発明の目的は、目地幅を小さくして見栄えをよくした金属屋根の構造および金属壁の構造を提供することである。
【課題を解決するための手段】
【０００７】
前記目的を達成するために、本発明に係るある金属屋根の構造は、一様の凹字状横断面をもつ弾性ガスケットと、この弾性ガスケットを嵌め込んで構造物に固定する固定金物と、折り曲げられた端縁が前記弾性ガスケットの凹部に嵌まり込んで前記構造物を上側から覆う一対の金属屋根材と、これら金属屋根材それぞれの前記端縁間に嵌め込まれて該一対の金属屋根材を前記弾性ガスケットに固定する嵌合部材とを備えている。
【０００８】
本金属屋根の構造によれば、一対の金属屋根材の折り曲げられた端縁を、一様の凹字状横断面をもつ弾性ガスケットの凹部に嵌め込むことで、該凹部内で互いに対向する端縁の間隔が小さくなって目地幅を小さくできるので、金属屋根の見栄えがよくなる。また、対向間隔が小さく設定された端縁間に嵌め込まれている嵌合部材によって、これら端縁を弾性ガスケットに固定することで、一対の金属屋根材が弾性ガスケットから脱落しないように確実に保持することができる。また、弾性ガスケットを用いることで、従来の金属同士を接合する屋根構造に比べて止水性が大幅に向上する。
なお、本発明において、弾性ガスケットとは、ゴムおよび／または樹脂などのエラストマーからなるガスケットをいう。
【０００９】
本発明の一態様においては、弾性ガスケットの下面に、固定金物を構造物に固定する固定子（たとえば、ビスのような固定部材）の露出部を入り込ませる溝が設けられている。これによると、固定金物に嵌め込まれている弾性ガスケットの邪魔にならないように、固定子によって固定金物を構造物に強固に固定して、固定金物と、該固定金物に嵌め込まれている弾性ガスケットの揺動や位置ずれを防止し、弾性ガスケットによる金属屋根材の適正な保持状態を維持して、金属屋根の止水性を高めて確実に防水することができる。
【００１０】
また、本発明の一態様においては、固定金物が底部と該底部の両端縁から立ち上がる一対の側壁部とを設けた凹字状横断面に形成され、これら一対の側壁部に係止部が設けられ、弾性ガスケットの両側面に係止段部が設けられており、前記係止部と係止段部とを互いに係合させて固定金物に弾性ガスケットが嵌め込まれている。これによると、弾性ガスケットが固定金物から脱落するのを確実に防止した状態で、固定金物によって弾性ガスケットを強固に保持することができる。この固定金物の凹字状横断面は、上方に向かうにつれて広がるような形状に形成されていてもよい。
【００１１】
さらに、本発明においては、嵌合部材を一様の横断面の弾性材によって構成し、この嵌合部材を一対の金属屋根材それぞれの端縁間に全長にわたって嵌め込むことが好ましい。これによると、一対の金属屋根材それぞれの端縁に嵌合部材が弾性圧接して、嵌合部材と端縁間の止水性を高めてより一層確実に防水することができる。
なお、弾性材とは、ゴムおよび／または樹脂などのエラストマーをいう。
【００１２】
また、本発明の一態様においては、一対の金属屋根材それぞれの端縁に凹部が設けられ、これに対応して前記弾性ガスケットの凹部の内面に逃げ用凹部が設けられている。前記嵌合部材には前記端縁の間で突っ張って該端縁を弾性ガスケットの凹部の内面側に付勢して、端縁の間で嵌合部材を懸垂保持させる突っ張り部が設けられている。更に、嵌合部材には係止凸部が設けられ、該係止凸部が前記屋根材の端縁の凹部に係合している。これによると、一対の金属屋根材それぞれの端縁が弾性ガスケットの凹部から脱落するのを防止し、かつ端縁を弾性ガスケットの凹部内で適正に位置決めして確実に保持することができる。また、嵌合部材が端縁の間から脱落するのを防止し、かつ嵌合部材を端縁の間で適正に位置決めして確実に保持することができる。したがって、一対の金属屋根材それぞれの端縁と、弾性ガスケットおよび嵌合部材の三者の適正な初期の組立て状態を長期にわたって維持することができる。
【００１３】
さらに、前記係止凸部の凹部への係合によって、一対の金属屋根材の表面と嵌合部材の上面とを面一に構成することができる。これによると、金属屋根材の表面と嵌合部材の上面との間に段差が形成されなくなるので、金属屋根の見栄えをよくすることができる。
【００１４】
一方、前記目的を達成するために、本発明に係るある金属壁の構造は、一様の凹字状横断面をもつ弾性ガスケットと、この弾性ガスケットを嵌め込んで構造物に固定する固定金物と、折り曲げられた端縁が前記弾性ガスケットの凹部に嵌まり込んで前記構造物を前側から覆う一対の金属壁材と、これら金属壁材それぞれの前記端縁間に入り込んで該一対の金属壁材を前記弾性ガスケットに固定する嵌合部材とを備えている。
【００１５】
本発明の金属壁の構造によれば、一対の金属壁材の折り曲げられた端縁を、一様の凹字状横断面をもつ弾性ガスケットの凹部に嵌め込むことで、該凹部内で互いに対向する端縁の間隔が小さくなって目地幅を小さくできるので、金属壁の見栄えがよくなる。また、対向間隔が小さく設定された端縁間に嵌め込まれている嵌合部材によって、これら端縁を弾性ガスケットに固定することで、一対の金属壁材が弾性ガスケットから脱落しないように確実に保持することができる。
【発明の効果】
【００１６】
本発明によれば、一対の金属屋根材の折り曲げられた端縁を、一様の凹字状横断面をもつ弾性ガスケットの凹部に嵌め込むことで、一対の端縁の対向間隔が小さくなって目地幅を小さくできるので、金属屋根の見栄えがよくなり、一対の金属壁材の折り曲げられた端縁を、一様の凹字状横断面をもつ弾性ガスケットの凹部に嵌め込むことで、一対の端縁の対向間隔が小さくなって目地幅を小さくできるので、金属壁の見栄えがよくなる。
【発明を実施するための最良の形態】
【００１７】
以下、本発明に係る金属屋根の構造の実施形態を図面にしたがって説明する。
図１は金属屋根の構造の実施形態を示す断面図である。
図１に示す金属屋根の構造は、弾性ガスケット１、固定金物２、一対の金属屋根材３、嵌合部材４、ビスなどの締結部材からなる固定子５などを備え、母屋などの屋根の下地材６（構造物の一例）の上面に防水シート７を介して軒棟方向にのびて配置される。
【００１８】
弾性ガスケット１は、ゴムおよび／または樹脂などの弾性に富む高分子化合物（エラストマー）の押出し成形によって製造されており、一様の凹字状横断面をもち建物の棟部から軒先にいたる長尺のもので、図２にも示されているように、底部１ａと、この底部１ａの幅方向両端部で略平行に立ち上がって互いに対向する一対の側壁部１ｂ，１ｂとを備え、底部１ａの幅方向中央部の下面には、一様の半円形横断面の下向きの溝１ｃを設けてある。また、上向きの凹部１Ｄは、下側の幅広部１ｄ１と、この幅広部１ｄ１の上側に互いに連通して設けられた幅狭部１ｄ２とを備え、幅広部１ｄ１と幅狭部１ｄ２との境界部には、幅方向内側に突出して互いに対向する一対の下向きの係止段部１ｅ，１ｅが設けられ、幅狭部１ｄ２には、幅方向外側へ弓形に凹入して互いに対向する一対の横向き逃げ用凹部１ｆ，１ｆが設けられている。この逃げ用凹部１ｆは後述する金属屋根材３の位置決め凹部３ｄに対応して設けられたものである。さらに、一対の側壁部１ｂ，１ｂにおける高さ方向の略中央部の外面には、上向きの係止段部１ｈを設けてある。
【００１９】
固定金物２は、薄鋼板を曲げ加工することによって、弾性ガスケット１の嵌め込みが可能な大きさに成形されたもので、図３にも示されているように、底部２ａと、この底部２ａの幅方向両端縁端から上広がり状に立ち上がって互いに対向する一対の側壁部２ｂ，２ｂとを備え、これら側壁部２ｂ，２ｂの上端部には、幅方向内側へ斜め下向きに折り曲げられた係止部２ｃを設けてある。そして、建物の棟部から軒先にいたる長尺仕様の固定金物２と、前記棟部から軒先にいたる間に適当な間隔を隔てて複数個配置できるようにした短寸仕様の固定金物２との長さが異なる種類の固定金物２が用意される。
【００２０】
一対の金属屋根材３は、薄鋼板（たとえばカラー鋼板）によって構成され、建物の棟部から軒先にいたる長尺のもので、図４にも示されているように、平坦な屋根本体部３ａと、この屋根本体部３ａの幅方向両端部で下向きに折り曲げられた一対の端縁３ｂ，３ｂとを備え、これら端縁３ｂ，３ｂには、その下端部に幅方向内側へ斜め上向きに折り曲げられた係止部３ｃが設けられ、上下方向の略中央部に幅方向外側へ半円状に凹んだ位置決め凹部３ｄが設けられている。
【００２１】
嵌合部材４は、ゴムおよび／または樹脂などの弾性に富む高分子化合物（エラストマー）の押出し成形によって一様の横断面に製造されており、図５にも示されているように、上下方向に板状にのびる本体部４ａと、この本体部４ａの下端から上方に向けて所定の間隔を隔てて幅方向の両側へ斜め上向きに張り出す一対３組のリップ４ｂ，４ｃ，４ｄと、本体部４ａの上端で幅方向の両側へ略水平に張り出す一対１組のリップ４ｅとを備え、一対１組のリップ４ｃが前記金属屋根材３の端縁に圧接する突っ張り部を構成し、一対１組のリップ４ｄが前記金属屋根材３の端縁の位置決め凹部に係合する係止凸部を構成している。そして、建物の棟部から軒先にいたる長尺仕様の嵌合部材４と、前記棟部から軒先にいたる間に適当な間隔を隔てて複数個配置できるようにした短寸仕様の嵌合部材４との長さが異なる種類の嵌合部材４が用意される。
【００２２】
前記構成の施工手順について説明する。
図１において、母屋などの屋根の下地材６を覆っている防水シート７の上面に、建物の棟部から軒先にいたる長尺仕様の固定金物２を屋根幅方向の間隔を隔てて複数本載置し（ただし、図１には１本の固定金物２のみが示されている）、接着剤（図示省略）を介して、防水シート７に固定金物２の底部２ａ下面を接着して位置決めしたのち、軒棟方向に所定の間隔を隔てて、ビスなどの締結部材からなる固定子５を、底部２ａおよび防水シート７を貫通して下地材６にねじ込むことで、防水シート７を介して、固定金物２を下地材６に固定する。
【００２３】
つぎに、建物の棟部から軒先にいたる長尺の弾性ガスケット１を上側から固定金物２に嵌め込む。これによって、弾性ガスケット１の係止段部１ｈに固定金物２の係止部２ｃが係合して、弾性ガスケット１が固定金物２から脱落するのを確実に防止した状態で、固定金物２によって弾性ガスケット１を強固に保持することができる。
【００２４】
つぎに、固定金物２の幅方向両側に該固定金物２の高さと略同じ厚さの発泡樹脂からなる第１の断熱材８を配置し、第１の断熱材８に隣接して該第１の断熱材８と略同じ厚さのロックウールなどの第２の断熱材９を配置する。
【００２５】
つぎに、一対の金属屋根材３を第１の断熱材８と第２の断熱材９の上に敷き、一方の金属屋根材３の右側の端縁３ｂと、他方の金属屋根材３の左側の端縁３ｂとを弾性ガスケット１の凹部１Ｄに嵌め込んで互いに対向させる。これら端縁３ｂ，３ｂの上下方向の寸法を、弾性ガスケット１の凹部１Ｄにおける上側の幅狭部１ｄ２の深さよりも若干長く形成しておくことで、端縁３ｂ，３ｂ側の係止部３ｃ，３ｃが弾性ガスケット１側の係止段部１ｅ，１ｅに仮係合されて金属屋根材３が弾性ガスケット１から脱落するのを防止する。端縁３ｂ，３ｂの係止凸部３ｄ，３ｄが弾性ガスケット１の逃げ用凹部１ｆ，１ｆに仮係合される。
このように、一対の金属屋根材３の折り曲げられた端縁３ｂを弾性ガスケット１の凹部１Ｄに嵌め込むことで、互いに対向する端縁３ｂ，３ｂの間隔が小さくなって一対の金属屋根材３の目地幅を小さくすることができる。
【００２６】
つぎに、建物の棟部から軒先にいたる長尺の嵌合部材４を前記互いに対向している端縁３ｂ，３ｂ間に上側から嵌め込んで、上端に備わっている一対１組のリップ４ｅの上面を金属屋根材３の平坦な屋根本体部３ａと面一にする。このように、一対の金属屋根材３の表面と嵌合部材４の上面とを面一に構成することで、金属屋根材３の表面と嵌合部材４の上面との間に段差が形成されなくなるので、金属屋根の見栄えをよくすることができる。また、一対１組のリップ４ｅの幅寸法を前記小さく設定されている目地幅と同じ寸法または僅かに大きい寸法に設定しておくことで、一対の金属屋根材３それぞれの端縁３ｂ，３ｂの上端部に一対１組のリップ４ｅが弾性圧接して、嵌合部材４と端縁３ｂ，３ｂ間の止水性を高めて確実に防水することができる。
【００２７】
嵌合部材４の上下方向の寸法を、端縁３ｂの上下方向の寸法よりも若干長く形成しておくことで、一対１組のリップ４ｅの上面を金属屋根材３の平坦な屋根本体部３ａと面一にして、嵌合部材４を互いに対向する端縁３ｂ，３ｂ間に嵌め込むと、下端の一対１組のリップ４ｂが弾性ガスケット１の凹部１Ｄにおける下側の幅広部１ｄ１に挿入される。このリップ４ｂの幅方向の寸法をガスケット１の幅狭部１ｄ２よりも大きく形成しておくことで、嵌合部材４がガスケット１の凹部１Ｄから脱落するのを防止する。そして、前記リップ４ｂの上側の一対２組のリップ４ｃは、端縁３ｂ，３ｂの係止部３ｃと位置決め凹部３ｄの間で上向きに弾性屈曲して幅方向に突っ張り、端縁３ｂ，３ｂを弾性ガスケット１の凹部１Ｄにおける幅狭部１ｄ２の内面側に付勢する。これにより、前述のように、仮係合されている金属屋根材３の端縁３ｂと弾性ガスケット１とを互いに強固に係合させて、互いに対向している端縁３ｂ，３ｂが弾性ガスケット１の凹部１Ｄにおける幅狭部１ｄ２から脱落するのを防止した状態で、端縁３ｂ，３ｂを幅狭部１ｄ２内で適正に位置決めして確実に保持することができる。同時に、突っ張り部を構成するリップ４ｃの突っ張り作用により端縁３ｂ，３ｂの間で嵌合部材４を懸垂保持する。前記リップ４ｃの上側の一対２組のリップ４ｄは、端縁３ｂ，３ｂの幅方向内側に半円状に凹んで設けた位置決め凹部３ｄの外面に係合して、かかる係合により嵌合部材４が端縁３ｂ，３ｂ間において、所定の位置に位置決めされる。以上で金属屋根の施工が完了する。
【００２８】
弾性ガスケット１の底部１ａの幅方向中央部の下面に、ビスなどの締結部材からなる固定子５の頭部５ａを入り込ませる一様の半円形横断面の下向きの溝１ｃが設けられているので、固定金物２に嵌め込まれている弾性ガスケット１の邪魔にならないように、固定子５によって固定金物２を屋根の下地材６に強固に固定して、固定金物２と、該固定金物２に嵌め込まれている弾性ガスケット１の揺動や位置ずれを防止し、弾性ガスケット１による一対の金属屋根材３の適正な保持状態を維持して、金属屋根の施工完了後における該金属屋根の止水性を高めて確実に防水することができる。
【００２９】
つぎに、本発明に係る金属壁の構造の実施形態を、図１にしたがって説明する。
なお、金属壁の構造の実施形態において、図１にしたがって既に説明した金属屋根の構造の実施形態と異なるところは、水平に配置される一対の金属屋根材３に代えて、垂直に配置された一対の金属壁材１０が用いられている点のみであり、弾性ガスケット１、固定金物２、嵌合部材４、固定子５、壁の下地材６、防水シート７、第１の断熱材８、第２の断熱材９などの各部の構造は、金属屋根の構造の実施形態と同一であるので、重複する構造説明は省略する。
【００３０】
このように構成された金属壁の構造によれば、一対の金属壁材１０の折り曲げられた端縁３ｂ，３ｂを、一様の凹字状横断面をもつ弾性ガスケット１の凹部１Ｄに嵌め込むことで、互いに対向する端縁３ｂ，３ｂの対向間隔が小さくなって目地幅を小さくできるので、金属壁の見栄えがよくなる。また、対向間隔が小さく設定された端縁３ｂ，３ｂ間に嵌め込まれている嵌合部材４によって、互いに対向する端縁３ｂ，３ｂを弾性ガスケット１に固定することで、一対の金属壁材１０が弾性ガスケット１から脱落しないように確実に保持することができる。
【００３１】
前記実施形態では、建物の棟部から軒先にいたる長尺仕様の固定金物２を使用して説明しているが、短寸仕様の固定金物２を適当な間隔を隔てて複数個配置し、これら複数個の短寸仕様の固定金物２に弾性ガスケット１を嵌め込んで、壁の下地材６に固定してもよい。
【００３２】
また、前記実施形態では、建物の棟部から軒先にいたる長尺仕様の嵌合部材４を使用して説明しているが、複数個の短寸仕様の嵌合部材４を適当な間隔を隔てて金属屋根材３または金属壁材１０の端縁３ｂ，３ｂ間に嵌め込むようにしてもよい。
また、前記実施形態では、嵌合部材４をエラストマーによって形成しているが、これに代えて嵌合部材４を金属などのエラストマー以外の材料で形成してもよい。また、嵌合部材４は、必ずしも金属屋根材３の端縁間の全長にわたって連なって設けられる必要はなく、断続的に配置するようにしてもよい。
また、前記金属屋根および金属壁の実施形態のように、表面がフラットに形成されている場合、表面に凹凸が形成されている鋼板に比べて曲げ剛性が小さく、小さい径で曲げ加工することができる。この曲げ加工により、屋根および壁を一体に形成することができ、屋根と壁とが連続した意匠設計をすることが可能となる。
【産業上の利用可能性】
【００３３】
本発明は、屋根板や壁板の固定構造として用いられるほか、太陽電池パネルや、電波吸収パネルを設置する際の固定およびシール構造として用いることができる。
【図面の簡単な説明】
【００３４】
【図１】金属屋根の構造および金属壁の構造の実施形態を示す断面図である。
【図２】弾性ガスケットの実施形態を示す断面図である。
【図３】固定金物２の実施形態を示す断面図である。
【図４】金属屋根材または金属壁材の端縁の実施形態を示す断面図である。
【図５】嵌合部材の実施形態を示す断面図である。
【符号の説明】
【００３５】
１：弾性ガスケット
１Ｄ：弾性ガスケットの凹部
１ｃ：弾性ガスケットの下面に設けた溝
１ｈ：弾性ガスケットの両側外面に設けた係止段部
２：固定金物
２ａ：固定金物の底部
２ｂ：固定金物の一対の側壁部
２ｃ：係止部
３：金属屋根材
３ｂ：金属屋根材の折り曲げられた端縁
３ｄ：位置決め凹部
４：嵌合部材
４ｃ：リップ（突っ張り部）
４ｄ：リップ（係止凸部）
５：固定子
５ａ：固定子の頭部（露出部）
６：屋根（壁）の下地材
１０：金属壁材
【図１】
2005232782.tif 000003
【図２】
2005232782.tif 000004
【図３】
2005232782.tif 000005
【図４】
2005232782.tif 000006
【図５】
2005232782.tif 000007